(57)【要約】【課題】  広範囲にわたって電極表面にイオンビームを照射して、電極上の堆積物を除去する。【解決手段】  プラズマ容器２下流に配置された抑制電極３にクリーニングガスから生成されたイオンビームＩＢを照射して、抑制電極３をクリーニングするイオン源１で、プラズマ容器２と抑制電極３の距離を調整する駆動機構５を有し、クリーニングに先立って、駆動機構５を制御して第１の方向へ抑制電極３かプラズマ容器２を移動させ、プラズマ容器２と抑制電極３との距離を広げる制御装置Ｃを備えている。【選択図】図１
2020140920.tif 000002
【特許請求の範囲】
【請求項１】
プラズマ容器下流に配置された抑制電極にクリーニングガスから生成されたイオンビームを照射して、抑制電極をクリーニングするイオン源で、
前記プラズマ容器と前記抑制電極の距離を調整する駆動機構を有し、
クリーニングに先立って、前記駆動機構を制御して第１の方向へ前記抑制電極か前記プラズマ容器を移動させ、前記プラズマ容器と前記抑制電極との距離を広げる制御装置を備えたイオン源。
【請求項２】
前記制御装置は、前記抑制電極の電位や前記抑制電極を流れる電流に基づいてクリーニングを継続するか否かを決定する請求項１記載のイオン源。
【請求項３】
前記抑制電極のクリーニング中、あるいは、クリーニングに先立って、
前記制御装置が、前記駆動機構を制御して前記第１の方向と直交する第２の方向へ前記抑制電極を移動させる請求項１または２記載のイオン源。
【請求項４】
前記抑制電極のクリーニング中、あるいは、クリーニングに先立って、
前記制御装置が、前記駆動機構を制御して前記第１の方向と直交する第３の方向周りに前記抑制電極を回転させる請求項１または２記載のイオン源。
【請求項５】
プラズマ容器下流に配置された抑制電極にクリーニングガスから生成されたイオンビームを照射して、抑制電極のクリーニングを行うイオン源のクリーニング方法で、
クリーニングに先立って、第１の方向へ前記抑制電極か前記プラズマ容器を移動させ、前記プラズマ容器と前記抑制電極との距離を広げるイオン源のクリーニング方法。
【発明の詳細な説明】
【技術分野】
【０００１】
本発明は、イオン源とそのクリーニング方法に関する。
【背景技術】
【０００２】
イオン注入装置では、イオン源のプラズマ容器内でハロゲン含有のガスや蒸気を原料としてプラズマを生成し、当該プラズマからプラズマ容器下流側に配置された複数枚のイオンビーム引出し用の電極（以下、引出電極）を通してイオンビームの引き出しが行われている。
【０００３】
プラズマ生成に係る具体的な原料としてはBF3、PF3、AlI3、AlCl3等があり、原料に含まれるフッ素、ヨウ素、塩素等のハロゲン成分は、プラズマの生成に伴ってイオン化されて、プラズマチャンバの内壁やチャンバ前方に配置される引出電極と反応する。
【０００４】
プラズマ容器内は、プラズマが生成されていることもあり、比較的高温である。このことから、上述した反応物がプラズマ容器の壁面に生成された場合、プラズマ容器の壁面から熱によって解離されて、容器内やその下流側に飛散する。
一方、プラズマ容器下流に配置された引出電極は、熱による電極の歪みを防止する目的で冷却されていることが多く、容器温度よりも比較的低温になる。このことから、引出電極表面には反応物が堆積し易い傾向にある。
【０００５】
また、プラズマ容器を構成するMoやW等の金属がプラズマによるスパッタリングによってプラズマ内に飛散し、これらがプラズマ内のハロゲン成分と結合して引出電極上に堆積することも起こり得る。
なお、上記結合は、プラズマ容器と引出電極との間で発生することもある。
【０００６】
イオン源の運転時間が長くなるのに従って、引出電極上の堆積物の堆積量は増加する。この堆積物は絶縁物であるため、引出電極の絶縁化やプラズマ容器と引出電極との間で異常放電を引き起こす原因となる。堆積量が多過になればイオン源を正常に運転することが不可能となる。
【０００７】
そこで、特許文献１のように、希ガスを原料としたイオンビームによるビームスパッタリングを利用して、引出電極上の堆積物を除去している。
同文献では、ビームスパッタリングの強度が最大となるようにイオンビームの径の調整が行われている。
【先行技術文献】
【特許文献】
【０００８】
【特許文献１】特開２００４−３６３０５０
【発明の概要】
【発明が解決しようとする課題】
【０００９】
上述した反応物はイオンビームの引き出しが行われる電極孔の周縁だけでなく、そこから少し離れた場所にも堆積している。
特許文献１の手法ではスパッタリングの強度が最大となるようにイオンビームの径が調整されているため、効率的に局所的なスパッタリングを行う場合には適しているが、広範囲にわたって電極表面にイオンビームを照射して、電極全体の堆積物を除去するのには向いていない。
【００１０】
本発明では、広範囲にわたって電極表面にイオンビームを照射して、電極上の堆積物を除去することを期所の課題とする。
【課題を解決するための手段】
【００１１】
イオン源は、
プラズマ容器下流に配置された抑制電極にクリーニングガスから生成されたイオンビームを照射して、抑制電極をクリーニングするイオン源で、
前記プラズマ容器と前記抑制電極の距離を調整する駆動機構を有し、
クリーニングに先立って、前記駆動機構を制御して第１の方向へ前記抑制電極を移動させ、前記プラズマ容器と前記抑制電極との距離を広げる制御装置を備えている。
【００１２】
イオン源のクリーニングに先立って、プラズマ容器と前記抑制電極との距離を広げているため、プラズマ容器から引出されたイオンビームの照射される範囲を広範囲にすることができる。その結果、広範囲にわたって堆積物の除去が可能となる。
【００１３】
クリーニング時間に応じて、クリーニングの継続、終了を判断してもいいが、抑制電極が正常にクリーニングされていることを確認する上では、
前記制御装置は、前記抑制電極の電位や前記抑制電極を流れる電流に基づいてクリーニングを継続するか否かを決定することが望ましい。
【００１４】
抑制電極に照射されるイオンビームの照射範囲を更に広げるには、
前記抑制電極のクリーニング中、あるいは、クリーニングに先立って、
前記制御装置が、前記駆動機構を制御して前記第１の方向と直交する第２の方向へ前記抑制電極を移動させる構成であることが望まれる。
【００１５】
一方、前記抑制電極のクリーニング中、あるいは、クリーニングに先立って、
前記制御装置が、前記駆動機構を制御して前記第１の方向と直交する第３の方向周りに前記抑制電極を回転させる構成であってもよい。
【００１６】
イオン源のクリーニング方法は、
プラズマ容器下流に配置された抑制電極にクリーニングガスから生成されたイオンビームを照射して、抑制電極のクリーニングを行うイオン源のクリーニング方法で、
クリーニングに先立って、第１の方向へ前記抑制電極を移動させ、前記プラズマ容器と前記抑制電極との距離を広げるものであればよい。
【発明の効果】
【００１７】
イオン源のクリーニングに先立って、プラズマ容器と前記抑制電極との距離を通常運転時のものから広げているため、プラズマ容器から引出されたイオンビームの照射される範囲が広範囲となる。その結果、広範囲にわたって堆積物の除去が可能となる。
【図面の簡単な説明】
【００１８】
【図１】イオン源の構成例に係る模式的平面図
【図２】クリーニングに係るフローチャート
【図３】電極位置の変更に係る説明図
【図４】イオン源の別の構成例に係る模式的平面図
【発明を実施するための形態】
【００１９】
図１は本発明に係るイオン源の模式的平面図である。図示されるＺ方向はイオンビームの引き出し方向であり、Ｙ方向は外形直方体状のプラズマ容器２の長手方向である。Ｘ方向はＹ方向とＺ方向の両方向に直交している。
【００２０】
イオン源１は、一端面に多孔あるいは単孔のイオン引出孔Ｈが形成されたプラズマ容器２と、プラズマ容器２にBF3やPH3、AsF3等のドーパントガス１１とアルゴン、キセノン等のクリーニングガス１２を供給する２つのガスボトルと、プラズマ容器２の内部でアーク放電や高周波放電により生成されたプラズマからイオンビームIBの引き出しを行う引出電極Ｅを備えている。
【００２１】
引出電極Ｅは、２次電子のプラズマ容器２側への流入を防止する抑制電極３と接地電位の接地電極４で構成されている。
イオンビームIBの引き出しにあたっては、図示されない引出電源を用いてプラズマ容器２の電位を引出電極Ｅの電位に比べて高くしておくことで、プラズマ容器２のプラズマから正の電荷を有するイオンビームの引き出しが行われる。
プラズマ容器２と同様に、抑制電極３と接地電極４にはイオンビームＩＢが通過するイオン引出孔Ｈが形成されている。
【００２２】
抑制電極３と接地電極４は絶縁部材を介して連結されている。両電極は一組の構造物として、駆動機構５によってＵ方向（第１の方向）、Ｖ方向（第２の方向）へ移動し、Ｙ軸方向（第３の方向）周りに矢印Ｗの向きに回転するように構成されている。
駆動機構５については、引出電極の位置や傾き調整を行うためのマニピュレータとして従来から知られている機構が使用される。
【００２３】
本発明では、イオン源については如何なるタイプのものを使用してもよい。例えば、バケット型、バーナス型、フリーマン型、傍熱型、高周波型のいずれの構成を採用してもよい。
【００２４】
図１（Ａ）はドーパントガス１１を用いてイオン源の運転を行っているときのもので、本発明ではこのときのイオン源の運転を通常運転と呼んでいる。一方、図１（Ｂ）はクリーニングガス１２を用いてイオン源の運転を行っているときのもので、本発明ではこのときのイオン源の運転をクリーニング運転と呼んでいる。
【００２５】
両図を見比べればわかるように、クリーニング運転時、引出電極Ｅの位置が通常運転時の引出電極Ｅの位置に比べてＺ方向側に移動している。換言すれば、プラズマ容器２と引出電極Ｅの距離が広がっている。
【００２６】
本発明において、プラズマ容器２から引出されたイオンビームＩＢは意図的にもしくは空間電荷効果の影響で発散している。
プラズマ容器２と引出電極Ｅとの距離が広がると、プラズマ容器２から引出されたイオンビームＩＢが抑制電極３に照射される照射面積が拡大する。
照射面積の拡大により、広範囲にわたって抑制電極３の堆積物を除去することが可能となる。
【００２７】
また、イオン源１は制御装置Ｃを備えている。この制御装置Ｃで通常運転からクリーニング運転への変更が自動的に行えるように構成されている。
例えば、両運転の切換えについては、プラズマ容器２と抑制電極３の間で発生するグリッチの回数をカウントし、この回数が基準回数を上回る場合に通常運転からクリーニング運転への切り換えが行われる。
また、イオン源の通常運転時の運転時間に応じてイオンビームを使った基板処理の前後のタイミングで運転の切換えを行うようにしてもよい。
【００２８】
反対に、クリーニング運転から通常運転への切換えにあたっては、抑制電極３の電位をモニターし、抑制電極３に印加されるべき設定電位となっているかどうかを確認して判断される。
抑制電極３には、二次電子を下流側へ追い返すために所定の負電圧が印加されている。抑制電極３に反応物が堆積している段階では堆積物による電気絶縁の影響で、正確な印加電圧を測定することができない。逆に言えば、堆積物が正常にスパッタリングされていれば、この実測値が設定値となる、あるいは、設定値に近い値となるので、抑制電極の電位をモニターして、運転状態を切換えている。
【００２９】
上述した実施形態では、抑制電極３の電位をモニターして、クリーニング運転から通常運転への切換える旨を述べたが、モニターする対象は電位に代えて電流であってもよい。
抑制電極３が堆積物で覆われている間は堆積物が障害物となり、抑制電極３の表面にイオンビームが照射されないことから、抑制電極３に接続された抑制電源に流れる抑制電流は堆積物がない場合に比べて低くなる。クリーニングが進み、堆積物が正常に除去されると、抑制電源に流れる抑制電流が安定し、最終的には一定値となる。
これより、電流をモニターする場合には、電流値が一定値となる、あるいは、電流値が安定した段階で抑制電極上の堆積物が正常にスパッタリングされたと判断して、運転状態の切換えを行うようにしてもよい。
【００３０】
さらには、クリーニング運転に要した時間に基づいて運転状態を切換えるようにしてもよい。ただし、クリーニング運転に要した時間では、正常にクリーニングが出来たかどうかが不確かなため、上述した抑制電極３の電圧値や電流値を実測し、実測値に応じて運転状態の切換えを行う方がよい。
【００３１】
図２は、本発明のクリーニングに係る処理を示す簡易的なフローチャートである。
クリーニング運転の開始にあたって、ドーパントガスからクリーニングガスへガス種の切換えが行われる（Ｓ１）。ガス種の切換えにあたっては、各ガスのボンベに接続されたバルブの開閉操作が行われる。
次に、引出電極Ｅの電極位置が変更される（Ｓ２）。この電極位置の変更によって、プラズマ容器２と抑制電極３の距離が広げられ、図１（Ｂ）に示す状態になる。
【００３２】
クリーニング運転の準備が整えば、イオンビームが抑制電極に照射される（Ｓ３）。その後、抑制電極３の電位が基準値（設定値）から所定範囲（α）内にあるかどうかの判別が行われ（Ｓ４）、電位が基準値近傍の値となった段階でクリーニングを終了する。
【００３３】
図３には、クリーニング運転時に抑制電極３にイオンビームが照射される様子が描かれている。図３（Ａ）は、図１（Ｂ）のごとく、プラズマ容器２と抑制電極３との間の距離を広げたときの抑制電極３に照射されるイオンビームに対応している。
図３（Ｂ）は、図３（Ａ）の構成に加えて、駆動機構５にて図１のＶ方向へ引出電極Ｅの位置を変更したときに抑制電極３に照射されるイオンビームに対応している。
図３（Ｃ）は、図３（Ａ）の構成に加えて、駆動機構５にて図１の矢印Ｗの向きに引出電極Ｅを回転させたときに抑制電極３に照射されるイオンビームに対応している。
【００３４】
図３（Ｂ）、図３（Ｃ）では、図３（Ａ）に比べて抑制電極３に照射されるイオンビームの照射領域が広くなる。抑制電極３の堆積物をより広い範囲で除去するには、プラズマ容器２と抑制電極３の距離を広げることに加えて、イオンビームの引出方向と垂直な方向で抑制電極３の位置や傾きを変更することを併用するようにしてもよい。
【００３５】
なお、図３（Ｂ）、図３（Ｃ）に示す両構成を図３（Ａ）の構成と組み合わせるようにしてもよい。また、クリー二ングに先立ち、図３（Ｂ）、図３（Ｃ）に示すように抑制電極３の位置や傾きを設定してもいいが、抑制電極３の位置や傾きを連続的に変化させながら抑制電極３のクリーニングを行うようにしてもよい。
【００３６】
上記実施形態では、制御装置Ｃを用いて自動的に運転状態を切換える構成について説明したが、手動にて装置のオペレーターが切換えを行うようにしてもよい。
【００３７】
また、上記実施形態では、図２のフローチャートでガス種の切換えと電極位置の変更が順番に行われていたが、これらを同時に行うようにしてもよい。さらには、電極位置を変更してから、ガス種を切換えるようにフローチャートに記載のものから順序を逆にしてもよい。
【００３８】
上記実施形態では、引出電極Ｅを駆動機構５で移動させることで、プラズマ容器２と引出電極Ｅとの距離を変更していたが、距離の変更にあたってはプラズマ容器２側を移動させるようにしてもいい。
具体的には、図４に描かれているように、プラズマ容器２を駆動機構５で移動させ、引出電極Ｅを固定しておく。このような構成でも、上述した本発明の効果を奏することができる。
【００３９】
その他、本発明は前記実施形態に限られず、その趣旨を逸脱しない範囲で種々の変形が可能であることは言うまでもない。
【符号の説明】
【００４０】
１    イオン源
２    プラズマ容器
３    抑制電極
４    接地電極
５    駆動機構
Ｅ    引出電極
Ｃ    制御装置
【図１】
2020140920.tif 000003
【図２】
2020140920.tif 000004
【図３】
2020140920.tif 000005
【図４】
2020140920.tif 000006